(57)【特許請求の範囲】
【請求項１】
第１のネットワークと第２のネットワークとの間で現用パスのトラヒックを中継する現用伝送装置を含むネットワークシステムにおいて、前記第１のネットワークと前記第２のネットワークとの境界に設けられる伝送装置であって、
前記第１のネットワークにおいて前記現用パスに対して設けられる第１の予備パス、前記第２のネットワークにおいて前記現用パスに対して設けられる第２の予備パス、および前記伝送装置と前記現用伝送装置との間に設けられるブリッジパスを収容するスイッチ回路と、
前記現用パスの障害を表す第１の制御信号を前記第１のネットワークから受信したときに、前記第１の制御信号を前記現用伝送装置へ送信し、前記現用伝送装置から受信する、前記第１の制御信号に対応する第２の制御信号に応じて前記スイッチ回路を制御する信号処理部と、
を有する伝送装置。
【請求項２】
前記信号処理部は、前記第２の制御信号に応じて前記スイッチ回路を制御して前記第１の予備パスと前記ブリッジパスとを接続する
ことを特徴とする請求項１に記載の伝送装置。
【請求項３】
前記信号処理部は、
前記第１の予備パスを介して伝送される制御信号を処理する第１の信号処理部と、
前記第２の予備パスを介して伝送される制御信号を処理する第２の信号処理部と、
前記ブリッジパスを介して伝送される制御信号を処理する第３の信号処理部と、
前記第１の信号処理部、前記第２の信号処理部、前記第３の信号処理部の連携を制御する連携制御部と、を含み、
前記第１の信号処理部が前記第１のネットワークから前記第１の制御信号を受信したときは、前記連携制御部は、前記第１の信号処理部と前記第３の信号制御装置とを連携して動作させる
ことを特徴とする請求項１に記載の伝送装置。
【請求項４】
前記第１の信号処理部が前記第１のネットワークから前記第１の制御信号を受信し、且つ、前記現用パスの障害を表す第３の制御信号を前記第２の信号処理部が前記第２のネットワークから受信したときは、前記連携制御部は、前記第１の信号処理部に前記第１の制御信号を処理させ、前記第２の信号処理部に前記第３の制御信号を処理させる
ことを特徴とする請求項３に記載の伝送装置。
【請求項５】
前記ブリッジパスの状態を判定する判定部をさらに有し、
前記ブリッジパスが設定されているときは、前記連携制御部は、前記第１の信号処理部と前記第３の信号処理部とを連携して動作させ、
前記ブリッジパスが設定されていないときは、前記連携制御部は、前記第１の信号処理部と前記第２の信号処理部とを連携して動作させる
ことを特徴とする請求項３に記載の伝送装置。
【請求項６】
第１のエッジノード装置を含む第１のネットワークと第２のエッジノード装置と含む第２のネットワークとの境界に第１の中継装置および第２の中継装置が設けられたネットワークシステムにおいて使用される冗長提供方法であって、
前記第１のエッジノード装置と前記第１の中継装置との間の現用パスに障害が発生したときに、前記第１のエッジノード装置と前記第２の中継装置との間で実行される第１の信号処理手順で、前記第１のエッジノード装置から前記第２の中継装置へ前記障害を表す信号を送信し、
前記第１の中継装置と前記第２の中継装置との間に、前記第１のエッジノード装置と前記第２のエッジノード装置との間のトラヒックを収容可能な回線が存在するときは、前記障害を表す信号に応じて、前記第１の中継装置と前記第２の中継装置との間で実行される第２の信号処理手順で、前記トラヒックが前記回線を介して伝送されるように、前記第１の中継装置および前記第２の中継装置の動作状態を制御する
ことを特徴とする冗長提供方法。
【請求項７】
前記第１のエッジノード装置と前記第２の中継装置との間に設定されている、前記現用パスに対応する予備パスを介して前記トラヒックが伝送されるように、前記第１の信号処理手順で、前記第１のエッジノード装置の動作状態を制御する
ことを特徴とする請求項６に記載の冗長提供方法。
【請求項８】
前記第１の中継装置と前記第２の中継装置との間に、前記第１のエッジノード装置と前記第２のエッジノード装置との間のトラヒックを収容可能な回線が存在しないときは、前記障害を表す信号に応じて、前記第２の中継装置と前記第２のエッジノード装置との間で実行される第３の信号処理手順で、前記トラヒックが前記第２の中継装置と前記第２のエッジノード装置との間に設定されている予備パスを介して伝送されるように、前記第２の中継装置および前記第２のエッジノード装置の動作状態を制御する
ことを特徴とする請求項６に記載の冗長提供方法。
【発明の詳細な説明】
【技術分野】
【０００１】
本発明は、パス冗長を提供するネットワークにおいて使用される伝送装置および冗長提供方法に係わる。
【背景技術】
【０００２】
近年、複数のネットワークを介して通信サービスを提供するネットワークシステムが普及している。このようなネットワークシステムでは、ネットワーク／ネットワークインタフェース（ＮＮＩ）に中継装置が設けられる。また、ネットワークの信頼性を高くするため、冗長パスを提供する構成が提案されている。
【０００３】
図１は、複数のネットワークを介して通信サービスを提供するネットワークシステムの一例を示す。この例では、ネットワーク＃１はエッジノード装置１０１を備え、ネットワーク＃２はエッジノード装置１０２を備えている。端末１１１はエッジノード装置１０１に収容され、端末１１２はエッジノード装置１０２に収容されている。そして、中継装置１２１、１２２は、ネットワーク＃１とネットワーク＃２とを相互に接続する。
【０００４】
図１に示すネットワークシステムは、パス冗長を提供する。ここでは、中継装置１２１は現用パス（Work Path）を中継し、中継装置１２２は予備パス（Protection Path）を中継する。すなわち、ネットワーク＃１においては、エッジノード装置１０１と中継装置１２１との間に現用パスＷＰ１が設定され、エッジノード装置１０１と中継装置１２２との間に予備パスＰＰ１が設定される。また、ネットワーク＃２においては、エッジノード装置１０２と中継装置１２１との間に現用パスＷＰ２が設定され、エッジノード装置１０２と中継装置１２２との間に予備パスＰＰ２が設定される。そして、ネットワークシステムが通常の動作をしているときは（すなわち、ネットワークシステム内で障害が発生していないとき）、端末１１１と端末１１２との間のトラヒックは、現用パスＷＰ１、中継装置１２１、現用パスＷＰ２を介して伝送される。また、現用パスＷＰ１または現用パスＷＰ２に障害が発生したときは、端末１１１と端末１１２との間のトラヒックは、予備パスＰＰ１、中継装置１２２、予備パスＰＰ２を介して伝送される。
【０００５】
なお、下記の特許文献１〜５に関連技術が記載されている。
【先行技術文献】
【特許文献】
【０００６】
【特許文献１】特開２００２−５７７１３号公報
【特許文献２】特開２００５−３５４５９２号公報
【特許文献３】特開２００８−２１９６９０号公報
【特許文献４】特表２０１０−５１５３１６号公報
【特許文献５】特表２０１３−５３５９２２号公報
【発明の概要】
【発明が解決しようとする課題】
【０００７】
複数のネットワークを介して通信サービスを提供するネットワークシステムにおいて、あるネットワークで障害が発生したときは、その障害の影響が他のネットワークに及ばないことが好ましい。例えば、相互に接続されるネットワークのドメインが異なる場合、ネットワーク毎にパスが管理されるので、あるドメイン内で発生した障害の影響が隣接ドメインに影響を及ぼすことは好ましくない。
【０００８】
ところが、図１に示すネットワークシステムでは、一方のネットワーク内で障害が発生したときに、その障害の影響が他方のネットワークに及ぶことになる。例えば、ネットワーク＃１において現用パスＷＰ１に障害が発生したときは、以下の手順で予備パスがアクティブ化される。
（１）エッジノード装置１０１は、現用パスＷＰ１の障害を検出する。
（２）エッジノード装置１０１は、予備パスＰＰ１を介して中継装置１２２へ障害を通知する。
（３）中継装置１２２は、予備パスＰＰ２を介してエッジノード装置１０２へ障害を通知する。
（４）エッジノード装置１０２は、トラヒックを伝送するための経路を現用パスから予備パスに切替える。
（５）エッジノード装置１０２は、予備パスＰＰ２を介して中継装置１２２へパス切替えを通知する。
（６）中継装置１２２は、トラヒックを伝送するための経路を現用パスから予備パスに切替える。
（７）中継装置１２２は、予備パスＰＰ１を介してエッジノード装置１０１へパス切替えを通知する。
（８）エッジノード装置１０１は、トラヒックを伝送するための経路を現用パスから予備パスに切替える。
【０００９】
このように、上述の例では、ネットワーク＃１で障害が発生すると、ネットワーク＃２において障害が発生していないにもかかわらず、ネットワーク＃２内で様々なメッセージが伝送される。また、ネットワーク＃１だけでなく、ネットワーク＃２においてもトラヒックの伝送経路が変更される。
【００１０】
本発明の１つの側面に係わる目的は、複数のネットワークを含むネットワークシステムにおいて、あるネットワーク内で障害が発生したときに、他のネットワークにその障害の影響が及ぶことを抑制することである。
【課題を解決するための手段】
【００１１】
本発明の１つの態様の伝送装置は、第１のネットワークと第２のネットワークとの間で現用パスのトラヒックを中継する現用伝送装置を含むネットワークシステムにおいて、前記第１のネットワークと前記第２のネットワークとの境界に設けられる。そして、この伝送装置は、前記第１のネットワークにおいて前記現用パスに対して設けられる第１の予備パス、前記第２のネットワークにおいて前記現用パスに対して設けられる第２の予備パス、および前記伝送装置と前記現用伝送装置との間に設けられるブリッジパスを収容するスイッチ回路と、前記現用パスの障害を表す第１の制御信号を前記第１のネットワークから受信したときに、前記第１の制御信号を前記現用伝送装置へ送信し、前記現用伝送装置から受信する、前記第１の制御信号に対応する第２の制御信号に応じて前記スイッチ回路を制御する信号処理部と、を有する。
【発明の効果】
【００１２】
上述の態様によれば、複数のネットワークを含むネットワークシステムにおいて、あるネットワーク内で障害が発生したときに、他のネットワークにその障害の影響が及ぶことが抑制される。
【図面の簡単な説明】
【００１３】
【図１】ネットワークシステムの一例を示す図である。
【図２】本発明の実施形態に係わるネットワークシステムの一例を示す図である。
【図３】本発明の実施形態に係わるパス切替えの一例を示す図である。
【図４】本発明の実施形態に係わる中継装置の一例を示す図である。
【図５】障害発生時のパス切替えシーケンスの一例を示す図である。
【図６】ＡＰＳ処理部の連携の一例を示す図である。
【図７】パス切替えの一例を示す図である。
【図８】障害が回復したときのパス切替えシーケンスの一例を示す図である。
【図９】他の実施形態に係わるネットワークシステムの例を示す図である。
【図１０】第２の実施形態におけるパス切替えシーケンスの一例を示す図である。
【図１１】第２の実施形態におけるＡＰＳ処理部の連携の一例を示す図である。
【図１２】第２の実施形態におけるパス切替えの一例を示す図である。
【図１３】現用系の中継装置の故障に対して冗長を提供するシーケンスの一例を示す図である。
【図１４】第３の実施形態におけるＡＰＳ処理部の連携の一例を示す図である。
【図１５】連携制御部の処理を示すフローチャートである。
【図１６】第５の実施形態のネットワークシステムの一例を示す図である。
【図１７】第６の実施形態のネットワークシステムの一例を示す図である。
【図１８】第７の実施形態のネットワークシステムの一例を示す図である。
【図１９】第８の実施形態のネットワークシステムの一例を示す図である。
【発明を実施するための形態】
【００１４】
＜第１の実施形態＞
図２は、本発明の実施形態に係わるネットワークシステムの一例を示す。図２に示すネットワークシステムは、ネットワーク＃１およびネットワーク＃２を含む。ネットワーク＃１は、エッジノード装置１０１を備える。エッジノード装置１０１は、クライアンント端末を収容することができる。同様に、ネットワーク＃２は、エッジノード装置１０２を備える。エッジノード装置１０２も、クライアンント端末を収容することができる。
【００１５】
ネットワーク＃１とネットワーク＃２との境界には、中継装置１（１Ｗ、１Ｐ）が設けられている。そして、中継装置１Ｗ、１Ｐは、それぞれ、デュアルホーミング（または、ＤＮＩ（Dual Node Interconnect））を提供する。
【００１６】
中継装置１Ｗは、エッジノード装置１０１、１０２間に設定される現用パス上に設けられている。すなわち、中継装置１Ｗは、エッジノード装置１０１、１０２間のトラヒックを中継する。なお、現用パスは、ネットワーク＃１においてエッジノード装置１０１と中継装置１Ｗとの間に設定される現用パスＷＰ１およびネットワーク＃２においてエッジノード装置１０２と中継装置１Ｗとの間に設定される現用パスＷＰ２から構成される。
【００１７】
上述の現用パスに対応する予備パスは、中継装置１Ｐを通過する。すなわち、ネットワーク＃１において、現用パスＷＰ１に対応する予備パスＰＰ１は、エッジノード装置１０１と中継装置１Ｐとの間に設定される。また、ネットワーク＃２において、現用パスＷＰ２に対応する予備パスＰＰ２は、エッジノード装置１０２と中継装置１Ｐとの間に設定される。なお、中継装置１Ｗおよび中継装置１Ｐは、物理リンクを介して互いに接続されている。
【００１８】
エッジノード装置１０１、１０２、中継装置１Ｗ、１Ｐは、いずれも伝送装置の一例である。また、現用パスＷＰ１、現用パスＷＰ２、予備パスＰＰ１、予備パスＰＰ２には、それぞれ、１または複数の伝送装置が設けられていてもよい。
【００１９】
上記構成のネットワークシステムにおいて、エッジノード装置１０１、１０２間のトラヒックは、現用パスＷＰ１、ＷＰ２を介して伝送される。ただし、現用パスまたは中継装置１Ｗにおいて障害が発生すると、このトラヒックは、予備パスを利用して伝送されるようになる。すなわち、現用系で障害が発生すると、少なくとも一部の区間において、現用パスから予備パスへの切替えが実行される。パス切替え機能は、この実施例では、自動プロテクション切替（ＡＰＳ：Automatic Protection Switching）により実現される。ＡＰＳは、ITU-T G.8031に記載されている。
【００２０】
ＡＰＳ処理は、ネットワーク毎に、予備パス上で実行される。したがって、図２に示すネットワークシステムでは、エッジノード装置１０１と中継装置１Ｐとの間に設定されている予備パスＰＰ１上でＡＰＳ＃１ａが実行される。ＡＰＳ＃１ａは、エッジノード装置１０１および中継装置１ＰにそれぞれＡＰＳ機能を提供するプログラム（以下、ＡＰＳプログラム）を実装することにより実現される。同様に、エッジノード装置１０２と中継装置１Ｐとの間に設定されている予備パスＰＰ２上でＡＰＳ＃２ａが実行される。ＡＰＳ＃２ａは、エッジノード装置１０２および中継装置１ＰにそれぞれＡＰＳプログラムを実装することにより実現される。
【００２１】
さらに、中継装置１Ｗ、１Ｐ間において、必要に応じて、ＡＰＳ処理（ＡＰＳ＃１ｂ、ＡＰＳ＃２ｂ）が実行される。ＡＰＳ＃１ｂは、中継装置１Ｗ、１ＰにそれぞれＡＰＳプログラムを実装することにより実現され、ＡＰＳ＃２ａに従属して動作する。また、ＡＰＳ＃２ｂは、中継装置１Ｗ、１ＰにそれぞれＡＰＳプログラムを実装することにより実現され、ＡＰＳ＃１ａに従属して動作する。
【００２２】
図３は、本発明の実施形態に係わるパス切替えの一例を示す。ここでは、図３（ａ）に示すように、エッジノード装置１０１、１０２間のトラヒックは、現用パスＷＰ１、ＷＰ２を介して伝送されているものとする。そして、図３（ｂ）に示すように、現用パスＷＰ１において障害が発生する。この場合、エッジノード装置１０１において現用パスＷＰ１の障害が検出される。なお、以下の記載では、中継装置１Ｗ、１Ｐ間の物理リンクにブリッジパスＢＰが設定されているものとする。
【００２３】
エッジノード装置１０１において現用パスＷＰ１の障害が検出されると、ＡＰＳ＃１ａによりその障害が中継装置１Ｐに通知される。そうすると、中継装置１Ｐにおいて、ＡＰＳ＃１ａに従属するＡＰＳ＃２ｂが起動され、ＡＰＳ＃２ｂによりその障害が中継装置１Ｗに通知される。
【００２４】
中継装置１Ｗにおいて、ＡＰＳ＃２ｂは、現用パスＷＰ２をブリッジパスＢＰに接続する。中継装置１Ｗにおけるパス切替えは、ＡＰＳ＃２ｂにより中継装置１Ｐに通知される。そうすると、中継装置１Ｐにおいて、ＡＰＳ＃２ｂは、予備パスＰＰ１をブリッジパスＢＰに接続する。或いは、中継装置１Ｐにおいて、ＡＰＳ＃１ａは、予備パスＰＰ１をブリッジパスＢＰに接続してもよい。中継装置１Ｐにおけるパス切替えは、ＡＰＳ＃１ａによりエッジノード装置１０１に通知される。そして、エッジノード装置１０１において、ＡＰＳ＃１ａは、現用パスＷＰ１から予備パスＰＰ１への切替えを実行する。この結果、エッジノード装置１０１、１０２間のトラヒックは、図３（ｃ）に示すように、予備パスＰＰ１、ブリッジパスＢＰ、現用パスＷＰ２を介して伝送されるようになる。
【００２５】
このように、図３に示す例では、ネットワーク＃１において障害が発生したときに、その障害に係わる制御信号またはメッセージはネットワーク＃２において伝送されない。また、ネットワーク＃１において障害が発生しても、ネットワーク＃２においてトラヒックが流れる経路は変わらない。すなわち、ネットワーク＃１で障害が発生したときに、その障害の影響はネットワーク＃２には及ばない。
【００２６】
図４は、本発明の実施形態に係わる中継装置の一例を示す。以下では、中継装置１が図２または図３に示す中継装置１Ｐであるものとして説明する。ただし、現用系で使用される中継装置１Ｗおよび予備系で使用される中継装置１Ｐの構成は、互いに実質的に同じである。
【００２７】
中継装置１は、送受信器１１＃１〜１１＃３、分離／多重部１２＃１〜１２＃３、挿入／抽出部１３＃１〜１３＃３、スイッチ回路１４、接続判定部１５、ＡＰＳ処理部１６＃１ａ、１６＃１ｂ、１６＃２ａ、１６＃２ｂ、連携制御部１７を備える。なお、ネットワークシステム内に複数の仮想ＬＡＮが設定されるときは、中継装置１は、複数セットの挿入／抽出部１３＃１〜１３＃３、複数のスイッチ回路１４、複数セットのＡＰＳ処理部１６＃１ａ、１６＃１ｂ、１６＃２ａ、１６＃２ｂ、及び複数の連携制御部１７を備えるようにしてもよい。また、中継装置１は、回線＃１〜＃３を収容している。回線＃１には、図２または図３に示す予備パスＰＰ１が設定される。回線＃２には、図２または図３に示す予備パスＰＰ２が設定される。回線＃３には、図２または図３に示すブリッジパスＢＰが設定される。
【００２８】
送受信器１１＃１は、回線＃１から信号を受信し、回線＃１へ信号を送信する。分離／多重部１２＃１は、送受信器１１＃１が受信した信号を仮想ＬＡＮ毎に分離する。また、分離／多重部１２＃１は、回線＃１へ送信する各仮想ＬＡＮの信号を多重化する。なお、以下の記載では、ある１つの仮想ＬＡＮに注目して説明する。挿入／抽出部１３＃１は、送受信器１１＃１が受信した信号からＡＰＳメッセージを抽出してＡＰＳ処理部１６＃１ａに渡す。また、挿入／抽出部１３＃１は、ＡＰＳ処理部１６＃１ａにより生成されるＡＰＳメッセージを回線＃１への送信信号に挿入する。
【００２９】
送受信器１１＃２、分離／多重部１２＃２、挿入／抽出部１３＃２の動作は、送受信器１１＃１、分離／多重部１２＃１、挿入／抽出部１３＃１と実質的に同じである。即ち、送受信器１１＃２は、回線＃２から信号を受信し、回線＃２へ信号を送信する。分離／多重部１２＃２は、送受信器１１＃２が受信した信号を仮想ＬＡＮ毎に分離する。また、分離／多重部１２＃２は、回線＃１へ送信する各仮想ＬＡＮの信号を多重化する。挿入／抽出部１３＃２は、送受信器１１＃２が受信した信号からＡＰＳメッセージを抽出してＡＰＳ処理部１６＃２ａに渡す。また、挿入／抽出部１３＃２は、ＡＰＳ処理部１６＃２ａにより生成されるＡＰＳメッセージを回線＃２への送信信号に挿入する。
【００３０】
送受信器１１＃３、分離／多重部１２＃３、挿入／抽出部１３＃３の動作は、送受信器１１＃１、分離／多重部１２＃１、挿入／抽出部１３＃１と実質的に同じである。即ち、送受信器１１＃３は、回線＃３から信号を受信し、回線＃３へ信号を送信する。分離／多重部１２＃３は、送受信器１１＃３が受信した信号を仮想ＬＡＮ毎に分離する。また、分離／多重部１２＃３は、回線＃３へ送信する各仮想ＬＡＮの信号を多重化する。挿入／抽出部１３＃３は、送受信器１１＃３が受信した信号からＡＰＳメッセージを抽出してＡＰＳ処理部１６＃１ｂまたはＡＰＳ処理部１６＃２ｂに渡す。また、挿入／抽出部１３＃２は、ＡＰＳ処理部１６＃１ｂまたはＡＰＳ処理部１６＃２ｂにより生成されるＡＰＳメッセージを回線＃３への送信信号に挿入する。
【００３１】
スイッチ回路１４は、予備パスＰＰ１、予備パスＰＰ２、およびブリッジパスＢＰを収容する。スイッチ回路１４は、スイッチＳＷ＃１〜ＳＷ＃３を含み、予備パスＰＰ１、予備パスＰＰ２、ブリッジパスＢＰを選択的に接続する。スイッチＳＷ＃１は、指定された動作状態に応じて、予備パスＰＰ１をスイッチＳＷ＃２またはスイッチＳＷ＃３に接続する。スイッチＳＷ＃２は、指定された動作状態に応じて、予備パスＰＰ２をスイッチＳＷ＃１またはスイッチＳＷ＃３に接続する。スイッチＳＷ＃３は、回線＃３を解して受信する信号を、指定された動作状態に応じて、スイッチＳＷ＃１またはスイッチＳＷ＃２に導く。また、スイッチＳＷ＃３は、回線＃１を介して受信する信号および回線＃２を介して受信する信号を回線＃３へ導くことができる。
【００３２】
接続判定部１５は、中継装置１が回線＃３を収容しているか否かを判定する。或いは、接続判定部１５は、回線＃３にブリッジパスＢＰが設定されているか否かを判定する。そして、中継装置１が回線＃３を収容していないとき、又は、ブリッジパスＢＰが設定されていないときは、接続判定部１５は、スイッチＳＷ＃１およびスイッチＳＷ＃２の設定を変更する。ただし、第１の実施形態では、中継装置１が回線＃３を収容しており、回線＃３にブリッジパスＢＰが設定されているものとする。
【００３３】
ＡＰＳ処理部１６＃１ａ、１６＃１ｂ、１６＃２ａ、１６＃２ｂは、それぞれ、プロセッサでＡＰＳプログラムを実行することにより実現される。ＡＰＳプログラムは、ＡＰＳの手順を記述している。この場合、ＡＰＳ処理部１６＃１ａ、１６＃１ｂ、１６＃２ａ、１６＃２ｂは、１つのプロセッサで実現されるようにしてもよいし、複数のプロセッサで実現されるようにしてもよい。或いは、各ＡＰＳ処理部１６＃１ａ、１６＃１ｂ、１６＃２ａ、１６＃２ｂの機能の一部は、ハードウェア回路で実現されてもよい。
【００３４】
ＡＰＳ手順は、現用パスの障害を検出したときに、その障害を表す信号（例えば、後述するＳＦメッセージ）を対向装置へ送信する手順を含む。また、ＡＰＳ手順は、動作状態を要求する信号（例えば、後述するＲＲメッセージ）を対向装置へ返送する手順を含む。
【００３５】
ＡＰＳ処理部１６＃１ａは、予備パスＰＰ１の端部に位置する伝送装置（図２に示す例では、エッジノード装置１０１）に設けられているＡＰＳ処理部との間でメッセージを送信および受信することによりＡＰＳ機能を提供する。また、ＡＰＳ処理部１６＃２ａは、予備パスＰＰ２の位置する伝送装置（図２に示す例では、エッジノード装置１０２）に設けられているＡＰＳ処理部との間でメッセージを送信および受信することによりＡＰＳ機能を提供する。
【００３６】
ＡＰＳ処理部１６＃１ｂおよびＡＰＳ処理部１６＃２ｂは、ブリッジパスＢＰの端部に位置する伝送装置（図２に示す例では、中継装置１Ｗ）に設けられているＡＰＳ処理部との間でメッセージを送信および受信することによりＡＰＳ機能を提供する。ただし、ＡＰＳ処理部１６＃１ｂは、連携制御部１７の制御の下で、ＡＰＳ処理部１６＃２ａに従属して動作する。そして、ＡＰＳ処理部１６＃２ａ、１６＃１ｂは、ＡＰＳ手順に従って、スイッチ回路１４のスイッチＳＷ＃２およびスイッチＳＷ＃３を制御することができる。一方、ＡＰＳ処理部１６＃２ｂは、連携制御部１７の制御の下で、ＡＰＳ処理部１６＃１ａに従属して動作する。そして、ＡＰＳ処理部１６＃１ａ、１６＃２ｂは、ＡＰＳ手順に従って、スイッチ回路１４のスイッチＳＷ＃１およびスイッチＳＷ＃３を制御することができる。
【００３７】
連携制御部１７は、ＡＰＳ処理部１６＃１ａ、１６＃１ｂ、１６＃２ａ、１６＃２ｂを連携して動作させることができる。このとき、連携制御部１７は、受信したＡＰＳメッセージおよび自装置の状態に応じて、ＡＰＳ処理部１６＃１ａ、１６＃１ｂ、１６＃２ａ、１６＃２ｂの連携を実行する。
【００３８】
図５は、障害発生時のパス切替えシーケンスの一例を示す。ここでは、図３（ｂ）に示すように、エッジノード装置１０１と中継装置１Ｗとの間の現用パスＷＰ１において障害が発生するものとする。なお、図５において各メッセージに対して付与されている２つの数字（ｉ，ｊ）は、伝送装置の状態を表している。ｉは、メッセージの宛先に対して要求する状態を表す。ｊは、自装置の状態を表す。例えば、中継装置１Ｐからエッジノード装置１０１へ伝送されるＲＲメッセージ（１，１）は、「エッジノード装置１０１に対して状態１を要求する」および「中継装置１Ｐは状態１で動作している」を表す。
【００３９】
現用パスＷＰ１の障害が発生する前は、エッジノード装置１０１から中継装置１ＰへＮＲ（No Request）メッセージが送信され、中継装置１Ｐからエッジノード装置１０１へＮＲメッセージが送信される。なお、エッジノード装置１０１と中継装置１Ｐとの間のＡＰＳ手順は、エッジノード装置１０１のＡＰＳ処理部および中継装置１ＰのＡＰＳ処理部１６＃１ａにより実行される。
【００４０】
同様に、エッジノード装置１０２から中継装置１ＰへＮＲメッセージが送信され、中継装置１Ｐからエッジノード装置１０２へＮＲメッセージが送信される。エッジノード装置１０２と中継装置１Ｐとの間のＡＰＳ手順は、エッジノード装置１０２のＡＰＳ処理部および中継装置１ＰのＡＰＳ処理部１６＃２ａにより実行される。このとき、ＡＰＳ処理部１６＃１ａおよびＡＰＳ処理部１６＃２ａは、互いに独立して動作する。すなわち、エッジノード装置１０１と中継装置１Ｐとの間のＡＰＳ手順、およびエッジノード装置１０２と中継装置１Ｐとの間のＡＰＳ手順は、互いに独立して実行される。
【００４１】
現用パスＷＰ１において障害が発生すると、エッジノード装置１０１のＡＰＳ処理部がその障害を検出する。そうすると、エッジノード装置１０１は、この障害を中継装置１Ｐに通知するために、中継装置１ＰへＳＦ（Signal Fail）メッセージを送信する。
【００４２】
中継装置１Ｐにおいて、ＡＰＳ処理部１６＃１ａは、エッジノード装置１０１から送信されたＳＦメッセージを受信する。そうすると、ＡＰＳ処理部１６＃１ａは、ＳＦメッセージを受信した旨を連携制御部１７に通知する。
【００４３】
図６は、ＡＰＳ処理部の連携の一例を示す。連携制御部１７は、ＡＰＳ処理部＃１ａがＳＦメッセージを受信したときは、中継装置１Ｐの状態に基づいて決まるＡＰＳ処理部を呼び出す。この実施例では、中継装置１Ｐは、回線＃３を介して中継装置１Ｗに接続されている。この場合、連携処理部１７は、ＡＰＳ処理部１６＃１ａに従属するＡＰＳ処理部１６＃２ｂを呼び出す。そして、連携処理部１７は、ＡＰＳ処理部１６＃１ａが受信したＳＦメッセージをＡＰＳ処理部１６＃２ｂに渡す。なお、中継装置１Ｐが中継装置１Ｗに接続されていないときは、後述する第２の実施形態で説明するが、連携制御部１７は、ＡＰＳ処理部＃１ａとＡＰＳ処理部＃２ａとを連携させる。
【００４４】
ＡＰＳ処理部１６＃２ｂは、中継装置１ＷのＡＰＳ処理部との間でＡＰＳ手順を実行する。ここで、中継装置１Ｗおよび中継装置１Ｐは、実質的に同じ構成であるものとする。この場合、図６に示すように、中継装置１ＰのＡＰＳ処理部１６＃２ｂは、中継装置１ＷのＡＰＳ処理部１６＃２ｂとの間でＡＰＳ手順を実行する。
【００４５】
中継装置１ＰのＡＰＳ処理部１６＃２ｂは、図５に示すように、中継装置１ＷへＳＦメッセージを送信する。中継装置１Ｗは、このＳＦメッセージに応じて、中継装置１Ｗの動作状態を「０：Work」から「１：Protection」に切り替える。そして、中継装置１Ｗは、中継装置１ＰへＲＲ（Reverse Request）メッセージを送信する。このＲＲメッセージは、中継装置１Ｐに対して「状態１」を要求する情報を含む。
【００４６】
中継装置１Ｐにおいて、ＲＲメッセージを受信したＡＰＳ処理部１６＃２ｂは、中継装置１Ｐの動作状態を「０」から「１」に切り替える。また、ＡＰＳ処理部１６＃２ｂは、中継装置１ＷからＲＲメッセージを受信した旨を連携制御部１７に通知する。そして、連携制御部１７は、ＡＰＳ処理部１６＃２ｂが受信したＲＲメッセージをＡＰＳ処理部１６＃１ａに渡す。
【００４７】
このように、ＡＰＳ処理部＃１ａがネットワーク＃１から現用パス＃１の障害を表すＳＦメッセージを受信すると、中継装置１Ｗと中継装置１Ｐとの間で実行されるＡＰＳ手順が呼び出される。そして、中継装置１Ｗと中継装置１Ｐとの間で実行されるＡＰＳ手順により、中継装置１Ｗおよび中継装置１Ｐの動作状態を制御が制御される。
【００４８】
ＡＰＳ処理部１６＃１ａは、エッジノード装置１０１へＲＲメッセージを送信する。そして、エッジノード装置１０１は、このＲＲメッセージに応じて、エッジノード装置１０１の動作状態を「０」から「１」に切り替える。すなわち、中継装置１Ｐの動作状態が切り替えられた後に、中継装置１Ｐとエッジノード装置１０１との間で実行されるＡＰＳ手順により、エッジノード装置１０１の動作状態を制御が制御される。この後、エッジノード装置１０１から中継装置１ＰへＳＦメッセージが送信され、中継装置１Ｐからエッジノード装置１０１へＳＦメッセージが送信される。
【００４９】
エッジノード装置１０２と中継装置１Ｐとの間では、上述の障害が検出された後であっても、エッジノード装置１０２から中継装置１ＰへＮＲメッセージが送信され、中継装置１Ｐからエッジノード装置１０２へＮＲメッセージが送信される。すなわち、エッジノード装置１０２と中継装置１Ｐとの間で伝送されるＡＰＳメッセージは、障害が発生する前と同じである。このように、ネットワーク＃１において障害が発生したときに、その障害の影響は、ネットワーク＃２には及ばない。
【００５０】
図５に示すシーケンスにおいて、中継装置１Ｗは、中継装置１Ｐから受信するＳＦメッセージに応じて中継装置１Ｗの動作状態を切り替える。このとき、中継装置１Ｗは、障害が発生していないネットワークに接続されているスイッチの状態を切り替える。この例では、ネットワーク＃１において現用パスＷＰ１の障害が発生している。したがって、中継装置１Ｗにおいて、ネットワーク＃２に接続されているスイッチＳＷ＃１の状態が「０」から「１」に切り替えられる。すなわち、ネットワーク＃２に設定されている現用パスＷＰ２は、中継装置１Ｗ、１Ｐ間に設定されているブリッジパスＢＰに接続される。
【００５１】
また、中継装置１Ｐは、中継装置１Ｗから受信するＲＲメッセージに応じて中継装置１Ｐの動作状態を切り替える。このとき、中継装置１Ｐは、障害が発生したネットワークに接続されているスイッチの状態を切り替える。この例では、ネットワーク＃１において現用パスＷＰ１の障害が発生している。したがって、中継装置１Ｐにおいて、ネットワーク＃１に接続されているスイッチＳＷ＃１の状態が「０」から「１」に切り替えられる。すなわち、ネットワーク＃１に設定されている予備パスＰＰ１は、中継装置１Ｗ、１Ｐ間に設定されているブリッジパスＢＰに接続される。この結果、予備パスＰＰ１は、ブリッジパスＢＰを介して現用パスＷＰ２に接続されることになる。
【００５２】
図７は、パス切替えの一例を示す。図７（ａ）は、障害が発生していないときのトラヒックの伝送経路を示している。障害が発生していないときは、エッジノード装置１０１、１０２の動作状態は「０」である。また、各中継装置１Ｗ、１Ｐにおいて、スイッチＳＷ＃１およびスイッチＳＷ＃２の状態は、いずれも「０」である。この場合、エッジノード装置１０１、１０２間のトラヒックは、現用パスＷＰ１および現用パスＷＰ２を介して伝送される。
【００５３】
図７（ｂ）は、ネットワーク＃１において現用パスＷＰ１の障害が発生したときのトラヒックの伝送経路を示している。現用パスＷＰ１の障害が発生すると、図５〜図６を参照しながら説明したＡＰＳ手順により、中継装置１ＰのスイッチＳＷ＃１の状態が「０」から「１」に切り替えられ、中継装置１ＷのスイッチＳＷ＃１の状態が「０」から「１」に切り替えられる。このとき、各中継装置１Ｗ、１Ｐにおいて、スイッチＳＷ＃３は、ポート＃１の信号を選択するように制御される。この結果、エッジノード装置１０１、１０２間のトラヒックは、予備パスＰＰ１、ブリッジパスＢＰ、および現用パスＷＰ２を介して伝送されることになる。
【００５４】
なお、上述の実施例では、中継装置１Ｐが中継装置１ＷからＲＲメッセージを受信したときに、ＡＰＳ処理部＃２ｂがスイッチＳＷ＃１の状態を切り替えているが、本発明はこの方法に限定されるものではない。例えば、中継装置１Ｐが中継装置１ＷからＲＲメッセージを受信したときに、ＡＰＳ処理部＃２ｂと連携するＡＰＳ処理部＃１ａがスイッチＳＷ＃１の状態を切り替えるようにしてもよい。
【００５５】
図８は、障害が回復したときのパス切替えシーケンスの一例を示す。ここでは、図５に示すシーケンスの後に、現用パスＷＰ１の障害が回復したものとする。
【００５６】
現用パスＷＰ１の障害が回復すると、エッジノード装置１０１のＡＰＳ処理部がその回復を検出する。そうすると、エッジノード装置１０１は、この回復を中継装置１Ｐに通知するために、中継装置１ＰへＷＴＲ（Wait to Restore）メッセージを送信する。また、エッジノード装置１０１は、復旧タイマを起動する。そして、この復旧タイマが満了すると、エッジノード装置１０１の動作状態は「１」から「０」に戻る。
【００５７】
中継装置１Ｐにおいて、ＡＰＳ処理部１６＃１ａは、エッジノード装置１０１から送信されたＷＴＲメッセージを受信する。そうすると、ＡＰＳ処理部１６＃１ａは、ＷＴＲメッセージを受信した旨を連携制御部１７に通知する。また、ＡＰＳ処理部１６＃１ａは、復旧タイマを起動する。そして、この復旧タイマが満了したときに、中継装置１Ｐの動作状態は「１」から「０」に戻る。このとき、ＡＰＳ処理部１６＃１ａは、スイッチ回路１４のスイッチＳＷ＃１の状態を「１」から「０」に切り替える。
【００５８】
連携制御部１７は、図８に示すように、ＡＰＳ処理部１６＃１ａに従属するＡＰＳ処理部１６＃２ｂを呼び出す。そして、連携制御部１７は、ＡＰＳ処理部１６＃１ａが受信したＷＴＲメッセージをＡＰＳ処理部１６＃２ｂに渡す。ＡＰＳ処理部１６＃２ｂは、中継装置１ＷへＷＴＲメッセージを送信する。中継装置１Ｗは、ＷＴＲメッセージを受信すると、復旧タイマを起動する。そして、この復旧タイマが満了したときに、中継装置１Ｗの動作状態は「１」から「０」に戻る。この結果、エッジノード装置１０１、１０２間のトラヒックは、図７（ａ）に示すように、現用パスＷＰ１および現用パスＷＰ２を介して伝送されるようになる。
【００５９】
なお、現用パスＷＰ１の障害が発生した後に、さらに現用パスＷＰ２の障害が発生したときは、以下のようにして冗長が提供される。すなわち、現用パスＷＰ１の障害が発生したときは、図６に示すようにＡＰＳ処理部＃１ａおよびＡＰＳ処理部＃２ｂが連携し、図７（ｂ）に示す冗長パスが提供される。続いて、現用パスＷＰ２の障害が発生すると、エッジノード装置１０２から中継装置１ＰへＳＦ信号が送信される。このとき、中継装置１Ｐは、予備回線ＰＰ１のトラヒックをブリッジパスＢＰへ導いている。この場合、中継装置１Ｐの連携制御部１７は、ＡＰＳ処理部＃１ａとＡＰＳ処理部＃２ｂとの間の連携を解消し、ＡＰＳ処理部＃１ａとＡＰＳ処理部＃２ａとの間の連携を実行する。そうすると、ＡＰＳ処理部＃１ａおよびＡＰＳ処理部＃２ａは、スイッチＳＷ＃１およびスイッチＳＷ＃２の状態を「０」に制御する。この結果、エッジノード装置１０１、１０２間のトラヒックは、予備パスＰＰ１および予備パスＰＰ２を介して伝送されるようになる。
【００６０】
＜第２〜第４の実施形態＞
図９は、他の実施形態に係わるネットワークシステムの例を示す。図９（ａ）に示す第２の実施形態では、中継装置１Ｗは、ネットワーク＃１の現用パスＷＰ１およびネットワーク＃２の現用パスＷＰ２を収容し、中継装置１Ｐは、ネットワーク＃１の予備パスＰＰ１およびネットワーク＃２の予備パスＰＰ２を収容する。ただし、中継装置１Ｗおよび中継装置１Ｐは、互いに接続されていない。
【００６１】
図９（ｂ）に示す第３の実施形態では、ドメイン毎に中継装置が設けられる。即ち、ネットワーク＃１の現用パスＷＰ１は中継装置１Ｗ＃１に収容され、ネットワーク＃２の現用パスＷＰ２は中継装置１Ｗ＃２に収容されている。そして、中継装置１Ｗ＃１および中継装置１Ｗ＃２は、互いに接続されている。同様に、ネットワーク＃１の予備パスＰＰ１は中継装置１Ｐ＃１に収容され、ネットワーク＃２の予備パスＰＰ２は中継装置１Ｐ＃２に収容されている。そして、中継装置１Ｐ＃１および中継装置１Ｐ＃２は、互いに接続されている。
【００６２】
図９（ｃ）に示す第４の実施形態の構成は、図９（ｂ）に示す第３の実施形態と類似している。ただし、第４の実施形態では、ネットワーク＃１側に設けられている中継装置１Ｗ＃１および中継装置１Ｐ＃１は互いに接続されており、ネットワーク＃２側に設けられている中継装置１Ｗ＃２および中継装置１Ｐ＃２は互いに接続されている。中継装置１Ｗ＃１と中継装置１Ｐ＃１との間にはブリッジパスＢＰ＃１が設定され、中継装置１Ｗ＃２と中継装置１Ｐ＃２との間にはブリッジパスＢＰ＃２が設定されている。
【００６３】
第２〜第４の実施形態において、各中継装置は、図４に示す構成により実現され得る。以下では、図４に示す中継装置を利用して第２〜第４の実施形態を実現する実施例を記載する。
【００６４】
図９（ａ）に示す第２の実施形態において、現用パスＷＰ１の障害が発生すると、図１０に示すＡＰＳ手順により冗長が提供される。すなわち、エッジノード装置１０１は、現用パスＷＰ１の障害を検出すると、ＳＦメッセージを中継装置１Ｐへ送信する。中継装置１Ｐにおいて、ＡＰＳ処理部１６＃１ａは、エッジノード装置１０１から送信されたＳＦメッセージを受信する。そうすると、ＡＰＳ処理部１６＃１ａは、ＳＦメッセージを受信した旨を連携制御部１７に通知する。
【００６５】
図１１は、第２の実施形態におけるＡＰＳ処理部の連携の一例を示す。なお、第２の実施形態では、中継装置１Ｐは、中継装置１Ｗに接続されていない。この場合、接続判定部１５は、スイッチ回路１４内のスイッチＳＷ＃１およびスイッチＳＷ＃２の設定を変更する。具体的には、スイッチＳＷ＃１は、状態０のときに予備パスＰＰ１をスイッチＳＷ＃３に接続し、状態１のときに予備パスＰＰ１をスイッチＳＷ＃２に接続するように設定される。同様に、スイッチＳＷ＃２は、状態０のときに予備パスＰＰ２をスイッチＳＷ＃３に接続し、状態１のときに予備パスＰＰ２をスイッチＳＷ＃１に接続するように設定される。
【００６６】
また、中継装置１Ｐに中継装置１Ｗが接続されていないときは、連携制御部１７は、ＡＰＳ処理部１６＃１ａおよびＡＰＳ処理部１６＃２ａを相互に連携させる。以降、ＡＰＳ処理部１６＃１ａが予備パスＰＰ１を介して受信したＡＰＳメッセージはＡＰＳ処理部１６＃２ａへ転送され、ＡＰＳ処理部１６＃２ａが予備パスＰＰ２を介して受信したＡＰＳメッセージはＡＰＳ処理部１６＃１ａへ転送される。
【００６７】
図１０の説明に戻る。ＡＰＳ処理部１６＃２ａは、ＡＰＳ処理部１６＃１ａからＳＦメッセージを受け取ると、スイッチＳＷ＃２の状態を「０」から「１」へ切り替える。そして、ＡＰＳ処理部１６＃２ａは、ＳＦメッセージをエッジノード装置１０２へ送信する。
【００６８】
エッジノード装置１０２は、受信したＳＦメッセージに応じてエッジノード装置１０２の動作状態を「０」から「１」へ切り替える。そして、エッジノード装置１０２は、ＲＲメッセージを中継装置１Ｐへ送信する。このＲＲメッセージは、ＡＰＳ処理部１６＃２ａにより受信され、ＡＰＳ処理部１６＃１ａへ渡される。そうすると、ＡＰＳ処理部１６＃１ａは、スイッチＳＷ＃１の状態を「０」から「１」へ切り替え、ＲＲメッセージをエッジノード装置１０１へ送信する。そして、エッジノード装置１０１は、受信したＲＲメッセージに応じてエッジノード装置１０１の動作状態を「０」から「１」へ切り替える。
【００６９】
図１２は、第２の実施形態において冗長パスを利用したトラヒック伝送経路の切替えの例を示す。図１２（ａ）は、障害が発生していないときのトラヒックの伝送経路を示している。障害が発生していないときは、エッジノード装置１０１、１０２の動作状態はいずれも「０」である。また、中継装置１Ｐにおいて、スイッチＳＷ＃１およびスイッチＳＷ＃２の状態は「０」である。この場合、エッジノード装置１０１、１０２間のトラヒックは、現用パスＷＰ１および現用パスＷＰ２を介して伝送される。
【００７０】
図１２（ｂ）は、ネットワーク＃１において現用パスＷＰ１の障害が発生したときのトラヒックの伝送経路を示している。現用パスＷＰ１の障害が発生すると、図１０〜図１１を参照しながら説明したＡＰＳ手順により、中継装置１ＰのスイッチＳＷ＃１およびスイッチＳＷ＃２の状態がそれぞれ「０」から「１」に切り替えられる。この結果、エッジノード装置１０１、１０２間のトラヒックは、予備パスＰＰ１および予備パスＰＰ２を介して伝送されることになる。
【００７１】
中継装置１Ｗ、１Ｐ間が接続されている第１の実施形態では、図７に示すように、予備パスＰＰ１、ブリッジパスＢＰ、及び現用パスＷＰ２を介してエッジノード装置１０１、１０２間のトラヒックが伝送される。一方、中継装置１Ｗ、１Ｐ間が接続されていない第２の実施形態では、図１２に示すように、予備パスＰＰ１および予備パスＰＰ２を介してエッジノード装置１０１、１０２間のトラヒックが伝送される。ただし、図５および図１０に示すように、エッジノード装置１０１と中継装置１Ｐとの間で実行されるＡＰＳ手順は、第１の実施形態および第２の実施形態において同じである。すなわち、エッジノード装置（ここでは、エッジノード装置１０１）は、中継装置の実装形態の違いを意識することなく、２フェーズのＡＰＳ手順で冗長を提供することができる。或いは、障害が発生したネットワーク（ここでは、ネットワーク＃１）においては、中継装置の実装形態が異なっていても、同じ２フェーズのＡＰＳ手順で冗長を提供できる。
【００７２】
図１３は、現用系の中継装置の故障に対して冗長を提供するシーケンスの一例を示す。現用系の中継装置（すなわち、中継装置１Ｗ）が故障すると、エッジノード装置１０１およびエッジノード装置１０２がそれぞれ障害を検出する。この場合、エッジノード装置１０１およびエッジノード装置１０２は、それぞれ、中継装置１ＰへＳＦメッセージを送信する。ただし、エッジノード装置１０１およびエッジノード装置１０２は、互いに独立して、中継装置１ＰへＳＦメッセージを送信する。このため、中継装置１Ｐにおいて、エッジノード装置１０１からのＳＦメッセージが到着する時刻と、エッジノード装置１０２からのＳＦメッセージが到着する時刻とは、異なっていることがある。
【００７３】
中継装置１Ｐにおいて、ＳＦメッセージを受信したＡＰＳ処理部は、ガードタイマを起動する。図１３に示す例では、先にＳＦメッセージを受信したＡＰＳ処理部１６＃１ａがガードタイマを起動する。そして、ＡＰＳ処理部１６＃２ａは、ガードタイマの動作中にＳＦメッセージを受信する。この場合、連携制御部１７は、ＡＰＳ処理部１６＃１ａとＡＰＳ処理部１６＃２ａとを連携させない。すなわち、ＡＰＳ処理部１６＃１ａおよびＡＰＳ処理部１６＃２ａは、互いに独立してＡＰＳ手順を実行する。
【００７４】
すなわち、ＡＰＳ処理部１６＃１ａは、スイッチＳＷ＃１の状態を「０」から「１」へ切り替えた後、エッジノード装置１０１へＲＲメッセージを送信する。そして、エッジノード装置１０１は、受信したＲＲメッセージに応じてエッジノード装置１０１の動作状態を「０」から「１」へ切り替える。同様に、ＡＰＳ処理部１６＃２ａは、スイッチＳＷ＃２の状態を「０」から「１」へ切り替えた後、エッジノード装置１０２へＲＲメッセージを送信する。そして、エッジノード装置１０２は、受信したＲＲメッセージに応じてエッジノード装置１０２の動作状態を「０」から「１」へ切り替える。これらのＡＰＳ手順の結果、図１２（ｂ）と同様に経路が実現される。
【００７５】
なお、現用系の中継装置が故障したときに冗長を提供するシーケンスは、第１および第２の実施形態において実質的に同じである。すなわち、第１の実施形態において、中継装置１Ｐがエッジノード装置１０１、１０２の双方から所定の期間内にＳＦメッセージを受信したときは、連携制御部１７は、ＡＰＳ処理部＃１ｂおよび／またはＡＰＳ処理部＃２ｂを呼び出さない。よって、この場合も、エッジノード装置１０１のＡＰＳ処理部と中継装置１ＰのＡＰＳ処理部＃１ａとの間で実行されるＡＰＳ手順により、現用パスＷＰ１が予備パスＰＰ１に切り替えられ、エッジノード装置１０２のＡＰＳ処理部と中継装置１ＰのＡＰＳ処理部＃２ａとの間で実行されるＡＰＳ手順により、現用パスＷＰ２が予備パスＰＰ２に切り替えられる。
【００７６】
図１４は、図９（ｂ）に示す第３の実施形態におけるＡＰＳ処理部の連携の例を示す。第３の実施形態では、現用パスＷＰ１の障害に起因してエッジノード装置１０１から中継装置１Ｐ＃１にＳＦメッセージが送信されると、ＡＰＳ処理部１６＃１ａは、ＳＦメッセージを受信した旨を連携制御部１７に通知する。連携制御部１７は、図１１に示す第２の実施形態と同様に、ＡＰＳ処理部１６＃１ａとＡＰＳ処理部１６＃２ａとを連携させる。ここで、この例では、中継装置１Ｐ＃１のＡＰＳ処理部１６＃２ａと中継装置１Ｐ＃２のＡＰＳ処理部１６＃１ａとの間に、予め専用チャネルが設定されている。この専用チャネルは、ＡＰＳメッセージを相互に伝送することができる。したがって、中継装置１Ｐ＃１のＡＰＳ処理部１６＃１ａにより受信されたＳＦメッセージは、中継装置１Ｐ＃１のＡＰＳ処理部１６＃２ａを介して中継装置１Ｐ＃２のＡＰＳ処理部１６＃１ａに転送される。
【００７７】
中継装置１Ｐ＃２においても、連携制御部１７は、図１１に示す第２の実施形態と同様に、ＡＰＳ処理部１６＃１ａとＡＰＳ処理部１６＃２ａとを連携させる。よって、上述のＳＦメッセージは、中継装置１Ｐ＃２のＡＰＳ処理部１６＃２ａに転送される。そして、このＡＰＳ処理部１６＃２ａが、エッジノード装置１０２へＳＦメッセージを送信する。これにより、エッジノード装置１０２の動作状態が「０」から「１」へ切り替えられる。
【００７８】
一方、エッジノード装置１０２から送信されるＲＲメッセージは、中継装置１Ｐ＃２のＡＰＳ処理部１６＃２ａ、中継装置１Ｐ＃２のＡＰＳ処理部１６＃１ａ、中継装置１Ｐ＃１のＡＰＳ処理部１６＃２ａを介して、中継装置１Ｐ＃１のＡＰＳ処理部１６＃１ａへ転送される。このとき、中継装置１Ｐ＃２のＡＰＳ処理部１６＃２ａは、中継装置１Ｐ＃２のスイッチＳＷ＃２の状態を「０」から「１」へ切り替える。また、中継装置１Ｐ＃１のＡＰＳ処理部１６＃１ａは、中継装置１Ｐ＃１のスイッチＳＷ＃１の状態を「０」から「１」へ切り替える。なお、中継装置１Ｐ＃１のスイッチＳＷ＃２および中継装置１Ｐ＃２のスイッチＳＷ＃１の状態は、「０」の固定されているものとする。
【００７９】
さらに、中継装置１Ｐ＃１のＡＰＳ処理部１６＃１ａは、エッジノード装置１０１へＲＲメッセージを送信する。これにより、エッジノード装置１０１の動作状態が「０」から「１」へ切り替えられる。
【００８０】
図９（ｃ）に示す第４の実施形態において冗長を提供する方法は、実質的に第１の実施形態と同様である。すなわち、図９（ｃ）の現用パスＷＰ１の障害が発生したときは、中継装置１Ｐ＃１および中継装置１Ｗ＃１が、第１の実施形態の中継装置１Ｐおよび中継装置１Ｗと同様の動作を行うことにより、冗長が提供される。この場合、中継装置１Ｐ＃２および中継装置１Ｗ＃２は、障害に起因する処理を行う必要はない。一方、図９（ｃ）の現用パスＷＰ２の障害が発生したときは、中継装置１Ｐ＃２および中継装置１Ｗ＃２が、第１の実施形態の中継装置１Ｐおよび中継装置１Ｗと同様の動作を行うことにより、冗長が提供される。この場合、中継装置１Ｐ＃１および中継装置１Ｗ＃１は、障害に起因する処理を行う必要はない。
【００８１】
なお、第４の実施形態においては、中継装置１Ｐ＃１および中継装置１Ｗ＃１は、ＡＰＳ処理部１６＃２ｂを備えていなくてもよい。また、中継装置１Ｐ＃２および中継装置１Ｗ＃２は、ＡＰＳ処理部１６＃１ｂを備えていなくてもよい。
【００８２】
＜フローチャート＞
図１５は、中継装置１Ｐに設けられる連携制御部１７の処理を示すフローチャートである。以下では、ＡＰＳ処理部１６＃１ａが予備パスＰＰ１からＡＰＳメッセージを受信したときの処理を記載する。また、図１５に示すフローチャートにおいて、１ａ、２ａ、１ｂ、２ｂは、それぞれＡＰＳ処理部１６＃１ａ、ＡＰＳ処理部１６＃２ａ、ＡＰＳ処理部１６＃１ｂ、ＡＰＳ処理部１６＃２ｂを表す。
【００８３】
Ｓ１において、連携制御部１７は、ＡＰＳ処理部１６＃１ａが新たな要求信号を受信したことを認識する。この要求信号は、図５、図８、図１０、図１３に示すＡＰＳメッセージ（例えば、ＳＦメッセージ）を含む。そして、連携制御部１７は、中継装置１Ｐの動作状態を遷移させる必要があると判定するものとする。なお、中継装置１Ｐの動作状態を遷移させる必要がないと判定した場合（例えば、ＮＲメッセージを受信した場合）は、連携制御部１７は、図１５に示すフローチャートの処理を終了する。
【００８４】
Ｓ２において、連携制御部１７は、ガードタイマを起動する。或いは、ＡＰＳ処理部＃１ａがガードタイマを起動し、連携制御部１７がそのガードタイマをモニタするようにしてもよい。そして、ガードタイマが満了する前にＡＰＳ処理部１６＃２ａが新たな要求信号を受信したときは、連携制御部１７は、ＡＰＳ処理間の連携を行うことなく、図１５に示すフローチャートの処理を終了する。例えば、図１３に示すように、現用系の中継装置１Ｗが故障したときは、ＡＰＳ処理部１６＃１ａおよびＡＰＳ処理部１６＃２ａがそれぞれＳＦメッセージを受信するので、以降、ＡＰＳ処理部１６＃１ａおよびＡＰＳ処理部１６＃２ａは、互いに独立してＡＰＳ手順を実行する。
【００８５】
Ｓ３において、連携制御部１７は、予備パスＰＰ１のトラヒックがポート＃３を介して伝送されているか判定する。なお、ポート＃３は、現用系の中継装置１Ｗに接続されるブリッジパスＢＰを収容する。そして、予備パスＰＰ１のトラヒックがポート＃３を介して伝送されていないときは、連携制御部１７の処理はＳ４へ進む。
【００８６】
Ｓ４〜Ｓ５において、連携制御部１７は、ＡＰＳ処理部１６＃２ａの状態を確認する。そして、ＡＰＳ処理部１６＃２ａの状態を遷移させる必要があると判定したときは、連携制御部１７は、Ｓ６において、ＡＰＳ処理部１６＃１ａとＡＰＳ処理部１６＃２ａとの連携を実行する。例えば、図１０〜図１２に示す実施例では、Ｓ５において「Ｙｅｓ」と判定され、Ｓ６においてＡＰＳ処理部１６＃１ａとＡＰＳ処理部１６＃２ａとの連携が実行される。
【００８７】
ＡＰＳ処理部１６＃２ａの状態を遷移させる必要がないと判定したときは（Ｓ５：Ｎｏ）、連携制御部１７は、ＡＰＳ処理部１６＃２ａにアクセスしない。この場合、連携制御部１７は、Ｓ７において、中継装置１Ｐの動作状態および受信したＡＰＳメッセージ基づいて、ＡＰＳ処理部１６＃１ｂまたはＡＰＳ処理部１６＃２ｂをアクティブにする。そして、Ｓ８において、連携制御部１７は、Ｓ７でアクティブにしたＡＰＳ処理部との連携を実行する。例えば、図５〜図７に示す実施例では、Ｓ８において、ＡＰＳ処理部１６＃１ａとＡＰＳ処理部１６＃２ｂとの連携が実行される。また、現用パスＷＰ１および現用パスＷＰ２の障害が発生した後に、現用パスＷＰ１のみが回復したときは、ＡＰＳ処理部＃１ａがＷＴＲメッセージ受信し、連携制御部１７は、Ｓ８において、ＡＰＳ処理部１６＃２ａとＡＰＳ処理部１６＃１ｂとの連携を実行する。
【００８８】
予備パスＰＰ１のトラヒックがポート＃３を介して伝送されているときは（Ｓ３：Ｙｅｓ）、連携制御部１７の処理はＳ１１へ進む。Ｓ１１〜Ｓ１２において、連携制御部１７は、ＡＰＳ処理部１６＃１ｂおよびＡＰＳ処理部１６＃２ｂの状態を確認する。そして、ＡＰＳ処理部１６＃１ｂがアクティブであるときは、Ｓ１３において連携制御部１７は、ポート＃３を非アクティブ化すると共に、ＡＰＳ処理部１６＃１ａとＡＰＳ処理部１６＃２ａとの連携を実行する。例えば、現用パスＷＰ２の障害に起因して、エッジノード間のトラヒックが現用パスＷＰ１、ブリッジパスＢＰ、予備パスＰＰ２を介して伝送されているときに、さらに現用パスＷＰ１の障害が発生したものとする。この場合、ポート＃３が使用されているのでＳ３において「Ｙｅｓ」と判定され、ＡＰＳ処理部１６＃１ｂが動作しているので、Ｓ１２において「Ｎｏ」と判定されるので、Ｓ１３においてＡＰＳ処理部１６＃１ａとＡＰＳ処理部１６＃２ａとの連携が実行される。
【００８９】
ＡＰＳ処理部１６＃２ｂがアクティブであるときは（Ｓ１２：Ｙｅｓ）、Ｓ１４〜Ｓ１５において、連携制御部１７は、ＡＰＳ処理部１６＃２ａの状態を確認する。ＡＰＳ処理部１６＃２ａの状態を遷移させる必要があると判定したときは、連携制御部１７は、Ｓ１６において、ポート＃３を非アクティブ化すると共に、ＡＰＳ処理部１６＃１ａとＡＰＳ処理部１６＃２ａとの連携を実行する。一方、ＡＰＳ処理部１６＃２ａの状態を遷移させる必要がないと判定したときは、連携制御部１７は、Ｓ１７において、ＡＰＳ処理部１６＃１ａとＡＰＳ処理部１６＃２ｂとの連携を実行する。例えば、図８に示す実施例では、現用パスＷＰ１の障害に起因して、エッジノード間のトラヒックが予備パスＰＰ１、ブリッジパスＢＰ、現用パスＷＰ２を介して伝送されているときに、現用パスＷＰ１の障害が回復している。この場合、ポート＃３が使用されているので、Ｓ３において「Ｙｅｓ」と判定される。また、ＡＰＳ処理部１６＃２ｂが動作しているので、Ｓ１２において「Ｙｅｓ」と判定される。さらに、ＡＰＳ処理部１６＃２ａの状態を変更する必要がないので、Ｓ１５において「Ｎｏ」と判定される。よって、Ｓ１７において、ＡＰＳ処理部１６＃１ａとＡＰＳ処理部１６＃２ｂとの連携を維持する。ただし、Ｓ１７においては、ポート＃３を非アクティブ化する処理、及び／又は、ＡＰＳ処理部１６＃２ｂを停止する処理が行われることもある。
【００９０】
＜第５の実施形態＞
図１６に示す第５の実施形態のネットワークシステムにおいては、仮想ＬＡＮごとに冗長が提供される。例えば、仮想ＬＡＮ＃１に対しては、中継装置２０１を介して現用パス＃１が設定され、中継装置２０２を介して現用パス＃１に対応する予備パス＃１が設定される。また、仮想ＬＡＮ＃２に対しては、中継装置２０２を介して現用パス＃２が設定され、中継装置２０１を介して現用パス＃２に対応する予備パス＃２が設定される。中継装置２０１、２０２は、例えば、図４に示す構成により実現される。
【００９１】
各仮想ＬＡＮの現用パスおよび予備パスは、一方の中継装置に負荷が集中しないように設定される。たとえば、中継装置２０１により中継される現用パスの数と中継装置２０２により中継される現用パスの数がほぼ同じになるように、各仮想ＬＡＮのパスが設定される。或いは、中継装置２０１により中継される総トラヒックと中継装置２０２により中継される総トラヒックがほぼ同じになるように、各仮想ＬＡＮのパスが設定される。このような構成においては、通常運用時においてネットワークシステム全体で負荷分散が実現される。
【００９２】
＜第６の実施形態＞
図１７は、第６の実施形態のネットワークシステムの一例を示す。この実施例では、エッジノード装置１０１、１０２間のトラヒックは、中継装置３０１、３０２により中継される。また、中継装置３０１、３０２は、それぞれ３つの入力／出力ポートｐ１〜ｐ３を備える。
【００９３】
第６の実施形態においては、ＭＰＬＳ（Multi-Protocol Label Switching）のＬＳＰ（Label Switched Path）を利用してパケットが伝送される。ＬＳＰを利用して伝送される場合、各パケットにはラベルが付与される。中継装置は、ラベルとポートとの対応関係を表すラベルテーブルを有する。そして、中継装置は、入力パケットのラベルに基づいて出力ポートを特定し、その特定した出力ポートを介してパケットを出力する。このとき、中継装置は、パケットに付与されているラベルを書き換える。
【００９４】
図１７に示すラベルテーブルは、エッジノード装置１０１からエッジノード装置１０２へ向かうトラヒックのためのラベルを表している。「現用」は、エッジノード１０１からエッジノード装置１０２へ向かうパケットが現用パスＷＰ１、中継装置３０１、現用パスＷＰ２を経由して伝送される状態を表している。「冗長１」は、上記パケットが現用パスＷＰ１、中継装置３０１、中継装置３０２、予備パスＰＰ２を経由して伝送される状態を表している。「冗長２」は、上記パケットが予備パスＰＰ１、中継装置３０２、中継装置３０１、現用パスＷＰ２を経由して伝送される状態を表している。「冗長３」は、上記パケットが予備パスＰＰ１、中継装置３０２、予備パスＰＰ２を経由して伝送される状態を表している。
【００９５】
中継装置３０１、３０２は、ＡＰＳ処理によりネットワークシステムの動作状態（現用、冗長１〜冗長３）を制御する。そして、中継装置３０１、３０２は、この動作状態に応じてラベル処理を行う。例えば、ネットワークシステムの動作状態が「冗長２」であるものとする。この場合、エッジノード装置１０１は、パケットに「ラベル：３００」を付与して中継装置３０２へ送信する。中継装置３０２は、このパケットのラベルを「３００」から「６００」に書き換えて、ポートｐ３を介して出力する。すなわち、パケットは、中継装置３０１へ転送される。そして、中継装置３０１は、このパケットのラベルを「６００」から「２００」に書き換えて、ポートｐ２を介して出力する。すなわち、パケットは、エッジノード装置１０２へ転送される。
【００９６】
中継装置３０１、３０２は、例えば、図４に示す構成により実現される。ただし、ＭＰＬＳのＬＳＰを利用してパケットが伝送される場合、中継装置３０１、３０２は、ラベルテーブルを有する。また、分離／多重部１２＃１〜１２＃３の代わりに、ラベル処理を実行する回路が設けられる。そして、図１５に示すフローチャートの処理により動作状態が判定されると、その判定結果に応じてラベル処理が実行される。
【００９７】
＜第７の実施形態＞
図１８は、第７の実施形態のネットワークシステムの一例を示す。この実施例では、エッジノード装置１０１、１０２間のトラヒックは、中継装置４０１、４０２により中継される。中継装置４０１を利用して現用パスが設定され、中継装置４０２を利用して予備パスが設定される。
【００９８】
第７の実施形態では、ＯＴＮ（Optical Transport Network）を利用してデータが伝送される。ＯＴＮにおいては、ＴＣＭ（Tandem Connection Monitoring）を利用してパスをモニタすることができる。この実施例では、図１８に示すようにＴＣＭａ〜ＴＣＭｅが設定される。ここで、ＯＤＵ（Optical channel Data Unit）フレームは、Ｇ．７０９に規定されているように、ＡＰＳに対して６つのＴＣＭ（ＴＣＭ１〜ＴＣＭ６）を設定することができる。
【００９９】
一例として、ＴＣＭｃおよびＴＣＭｄに対してＴＣＭ１が設定される。また、中継装置４０１、４０２間のＴＣＭｅに対しては、ＴＣＭ２およびＴＣＭ３が設定される。この場合、例えば、ＴＣＭ２は、ＡＰＳ処理部１６＃１ｂに対して設定され、ＴＣＭ３は、ＡＰＳ処理部１６＃２ｂに対して設定される。即ち、図４に示す回線＃１から受信するＡＰＳメッセージおよび回線＃１へ送信するＡＰＳメッセージを処理するＡＰＳ処理部１６＃１ａと回線＃３から受信するＡＰＳメッセージおよび回線＃３へ送信するＡＰＳメッセージを処理するＡＰＳ処理部１６＃２ｂとの連携が実行されるときに、ＴＣＭ１とＴＣＭ３とが対応づけられる。また、図４に示す回線＃２から受信するＡＰＳメッセージおよび回線＃２へ送信するＡＰＳメッセージを処理するＡＰＳ処理部１６＃２ａと回線＃３から受信するＡＰＳメッセージおよび回線＃３へ送信するＡＰＳメッセージを処理するＡＰＳ処理部１６＃１ｂとの連携が実行されるときに、ＴＣＭ１とＴＣＭ２とが対応づけられる。このとき、挿入／抽出部１３＃１〜１３＃３は、ＴＣＭｅに対して設定されるＴＣＭ２またはＴＣＭ３を選択的に使用する。
【０１００】
中継装置４０１、４０２は、例えば、図４に示す構成により実現される。但し、ＯＴＮを利用してデータが伝送される場合、分離／多重部１２＃１〜１２＃３は、ＯＤＵの多重化および逆多重化を行う。
【０１０１】
＜第８の実施形態＞
図１９は、第８の実施形態のネットワークシステムの一例を示す。この実施例では、エッジノード装置１０１、１０２間のトラヒックは、中継装置５０１、５０２により中継される。ただし、通常運用時には、図１９（ａ）に示すように、トラヒック＃１およびトラヒック＃２は、いずれも中継装置５０１により中継されている。
【０１０２】
現用パスＷＰ１において障害が発生したときには、例えば、図７に示す冗長が提供される。ただし、中継装置５０１、５０２間の回線＃３の帯域が小さいときは、回線＃３を利用してすべてのトラヒックを伝送することはできない。すなわち、トラヒック＃１およびトラヒック＃２の和が回線＃３の帯域を越えているときは、図１９（ｂ）に示すように、一部のトラヒック（ここでは、トラヒック＃１）は回線＃３を介して伝送され、他のトラヒック（ここでは、トラヒック＃２）は予備パスＰＰ２を利用して伝送される。
【０１０３】
このとき、エッジノード１０１、１０２間で冗長を提供する手順と比較して、エッジノード装置１０１と中継装置５０１、５０２との間で冗長を提供する手順においては、ＡＰＳメッセージが伝送される距離が短く、パスの切替え時間が短くなることが期待される。よって、優先度の高いトラヒックに対して、中継装置５０１、５０２を利用する冗長が提供され、優先度の低いトラヒックに対して、エッジノード１０１、１０２間の冗長が提供されるようにしてもよい。
【０１０４】
中継装置５０１、５０２は、例えば、図４に示す構成により実現される。なお、各トラヒックの優先度は、例えば、予め中継装置５０１、５０２に設定される。或いは、仮想ＬＡＮごとにＣｏＳ（Class of Service）値を利用して優先度を設定してもよい。
【０１０５】
以上記載した各実施例を含む実施形態に関し、さらに以下の付記を開示する。
（付記１）
第１のネットワークと第２のネットワークとの間で現用パスのトラヒックを中継する現用伝送装置を含むネットワークシステムにおいて、前記第１のネットワークと前記第２のネットワークとの境界に設けられる伝送装置であって、
前記第１のネットワークにおいて前記現用パスに対して設けられる第１の予備パス、前記第２のネットワークにおいて前記現用パスに対して設けられる第２の予備パス、および前記伝送装置と前記現用伝送装置との間に設けられるブリッジパスを収容するスイッチ回路と、
前記現用パスの障害を表す第１の制御信号を前記第１のネットワークから受信したときに、前記第１の制御信号を前記現用伝送装置へ送信し、前記現用伝送装置から受信する、前記第１の制御信号に対応する第２の制御信号に応じて前記スイッチ回路を制御する信号処理部と、
を有する伝送装置。
（付記２）
前記信号処理部は、前記第２の制御信号に応じて前記スイッチ回路を制御して前記第１の予備パスと前記ブリッジパスとを接続する
ことを特徴とする付記１に記載の伝送装置。
（付記３）
前記信号処理部は、
前記第１の予備パスを介して伝送される制御信号を処理する第１の信号処理部と、
前記第２の予備パスを介して伝送される制御信号を処理する第２の信号処理部と、
前記ブリッジパスを介して伝送される制御信号を処理する第３の信号処理部と、
前記第１の信号処理部、前記第２の信号処理部、前記第３の信号処理部の連携を制御する連携制御部と、を含み、
前記第１の信号処理部が前記第１のネットワークから前記第１の制御信号を受信したときは、前記連携制御部は、前記第１の信号処理部と前記第３の信号制御装置とを連携して動作させる
ことを特徴とする付記１に記載の伝送装置。
（付記４）
前記第１の信号処理部が前記第１のネットワークから前記第１の制御信号を受信し、且つ、前記現用パスの障害を表す第３の制御信号を前記第２の信号処理部が前記第２のネットワークから受信したときは、前記連携制御部は、前記第１の信号処理部に前記第１の制御信号を処理させ、前記第２の信号処理部に前記第３の制御信号を処理させる
ことを特徴とする付記３に記載の伝送装置。
（付記５）
前記ブリッジパスの状態を判定する判定部をさらに有し、
前記ブリッジパスが設定されているときは、前記連携制御部は、前記第１の信号処理部と前記第３の信号処理部とを連携して動作させ、
前記ブリッジパスが設定されていないときは、前記連携制御部は、前記第１の信号処理部と前記第２の信号処理部とを連携して動作させる
ことを特徴とする付記３に記載の伝送装置。
（付記６）
第１のエッジノード装置を含む第１のネットワークと第２のエッジノード装置と含む第２のネットワークとの境界に第１の中継装置および第２の中継装置が設けられたネットワークシステムにおいて使用される冗長提供方法であって、
前記第１のエッジノード装置と前記第１の中継装置との間の現用パスに障害が発生したときに、前記第１のエッジノード装置と前記第２の中継装置との間で実行される第１の信号処理手順で、前記第１のエッジノード装置から前記第２の中継装置へ前記障害を表す信号を送信し、
前記第１の中継装置と前記第２の中継装置との間に、前記第１のエッジノード装置と前記第２のエッジノード装置との間のトラヒックを収容可能な回線が存在するときは、前記障害を表す信号に応じて、前記第１の中継装置と前記第２の中継装置との間で実行される第２の信号処理手順で、前記トラヒックが前記回線を介して伝送されるように、前記第１の中継装置および前記第２の中継装置の動作状態を制御する
ことを特徴とする冗長提供方法。
（付記７）
前記第１のエッジノード装置と前記第２の中継装置との間に設定されている、前記現用パスに対応する予備パスを介して前記トラヒックが伝送されるように、前記第１の信号処理手順で、前記第１のエッジノード装置の動作状態を制御する
ことを特徴とする付記６に記載の冗長提供方法。
（付記８）
前記第１の中継装置と前記第２の中継装置との間に、前記第１のエッジノード装置と前記第２のエッジノード装置との間のトラヒックを収容可能な回線が存在しないときは、前記障害を表す信号に応じて、前記第２の中継装置と前記第２のエッジノード装置との間で実行される第３の信号処理手順で、前記トラヒックが前記第２の中継装置と前記第２のエッジノード装置との間に設定されている予備パスを介して伝送されるように、前記第２の中継装置および前記第２のエッジノード装置の動作状態を制御する
ことを特徴とする付記６に記載の冗長提供方法。
（付記９）
前記第１の信号処理手順および前記第２の信号処理手順は、仮想ＬＡＮごとに実行される
ことを特徴とする付記６に記載の冗長提供方法。
（付記１０）
前記第１の信号処理手順および前記第２の信号処理手順は、ＭＰＬＳ（Multi-Protocol Label Switching）のラベルごとに実行される
ことを特徴とする付記６に記載の冗長提供方法。
（付記１１）
障害が発生した現用パスの優先度に応じて、前記第２の信号処理手順または前記第３の信号処理手順が実行される
ことを特徴とする付記６に記載の冗長提供方法。
【符号の説明】
【０１０６】
１（１Ｗ、１Ｐ）  中継装置
１４  スイッチ回路
１５  接続判定部
１６＃１ａ、１６＃１ｂ、１６＃２ａ、１６＃２ｂ  ＡＰＳ処理部
１７  連携制御部
１０１、１０２  エッジノード装置
２０１、２０２、３０１、３０２、４０１、４０２、５０１、５０２  中継装置
【図１】
0006361465.tif 000002
【図２】
0006361465.tif 000003
【図３】
0006361465.tif 000004
【図４】
0006361465.tif 000005
【図５】
0006361465.tif 000006
【図６】
0006361465.tif 000007
【図７】
0006361465.tif 000008
【図８】
0006361465.tif 000009
【図９】
0006361465.tif 000010
【図１０】
0006361465.tif 000011
【図１１】
0006361465.tif 000012
【図１２】
0006361465.tif 000013
【図１３】
0006361465.tif 000014
【図１４】
0006361465.tif 000015
【図１５】
0006361465.tif 000016
【図１６】
0006361465.tif 000017
【図１７】
0006361465.tif 000018
【図１８】
0006361465.tif 000019
【図１９】
0006361465.tif 000020